(57)【要約】【課題】  カバーの開口部とコネクタの間隙を介して不正行為が行われるおそれのない遊技機を実現する。【解決手段】  コネクタ１０１は、突出部１０１ｂが配線１００ｂを覆った状態で、電気回路を形成する配線１００ｂと接続されている。コネクタ本体１０１ａの頭部１０１ｄは、開口部８６ｃより外部に露出しており、コネクタ本体１０１ａと開口部８６ｃの周縁８６ｈとの間に、間隙９０が形成されている。コネクタ１０１を開口部８６ｃの真上から見ると、突出部１０１ｂは、突出部１０１ｂの外縁１０１ｅが開口部８６ｃの周縁８６ｈより外方になるように形成されているため、間隙９０の直下には突出部１０１ｂのみを視認可能である。つまり、配線１００ｂは、突出部１０１ｂの下方に隠れているため、間隙９０から電極９８などを挿入し、不正行為を働こうとしても、配線１００ｂに触ることができない。【選択図】  図７
2006141587.tif 000002
【特許請求の範囲】
【請求項１】
電気回路と、この電気回路と電気的に接続された端子とが表面に設けられた電気回路基板を備えており、前記表面がカバーによって覆われており、前記カバーには前記端子が露出する開口部が形成されており、その開口部を介して前記端子に配線を接続可能にした遊技機において、
前記カバーを前記開口部の真上から見ると、前記開口部により規定される範囲からは、前記端子のみを視認可能であり、前記電気回路基板の基板面は視認不可能であることを特徴とする遊技機。
【請求項２】
前記端子は、前記開口部の周縁との間に間隙を形成した状態で前記開口部から露出する頭部を有する端子本体と、前記カバーの裏面と前記電気回路基板の表面との間において前記端子本体の周面から外方に突出した突出部とを備えており、
前記カバーを前記開口部の真上から見ると、前記間隙により規定される範囲からは、前記突出部のみを視認可能であり、前記電気回路基板の基板面は視認不可能であることを特徴とする請求項１に記載の遊技機。
【請求項３】
前記端子は、前記突出部から前記カバーの裏面に向けて突出した部材を備えたことを特徴とする請求項２に記載の遊技機。
【請求項４】
前記部材の前記カバー側の端部と前記カバーの裏面との間に弾性体が介在されたことを特徴とする請求項３に記載の遊技機。
【請求項５】
前記開口部の周縁から前記突出部に向けて突出した部材を備えたことを特徴とする請求項２ないし請求項４のいずれか１つに記載の遊技機。
【請求項６】
前記部材の前記突出部側の端部と前記突出部との間に弾性体が介在されたことを特徴とする請求項５に記載の遊技機。
【請求項７】
前記端子は、前記電気回路基板の前記表面に近づくに伴い、前記端子の横断面の外周が大きくなるように形成されていることを特徴とする請求項１に記載の遊技機。
【請求項８】
前記端子は、前記電気回路基板の前記表面の一端側に設けられており、
前記カバーは、前記電気回路基板の他端近傍を回動軸にして回動可能に設けられており、
前記間隙は、前記カバーを回動させて前記電気回路基板を覆う際に前記開口部の周縁に前記端子が衝突しないようにするために形成されていることを特徴とする請求項２ないし請求項６のいずれか１つに記載の遊技機。
【発明の詳細な説明】
【技術分野】
【０００１】
この発明は、電気制御された遊技機、詳しくは、電気系統に細工が施されるような不正行為を防止する目的で電気回路基板がカバーで覆われた遊技機に関する。  
【背景技術】
【０００２】
従来、この種の遊技機としてパチンコ機が広く知られている。昨今のパチンコ機は、入賞の判定から大当たりの判定まで、すべてマイクロコンピュータ（以下、マイコンという）が行っている。マイコンは、大当たりの判定などを行うＣＰＵと、このＣＰＵが実行するコンピュータプログラムが記憶されたＲＯＭとを備える。そのマイコンが搭載された主制御基板、賞球払出装置を制御する払出制御基板などの電気回路基板は、パチンコ機の裏側に設けられている。主制御基板および払出制御基板間は、配線により電気的に接続されており、主制御基板のＣＰＵが賞球払出命令を払出制御基板へ出力すると、払出制御基板が賞球払出装置を駆動して賞球を払出す。
上記のようなパチンコ機では、電気的な細工を施すことにより、強制的に賞球を払出させるという不正行為が発生することがあった。例えば、マイコンに備えられたＲＯＭを、大当たりが発生し易いコンピュータプログラムが記録されたＲＯＭ（いわゆる裏ＲＯＭ）に取り替えたり、主制御基板が賞球払出命令を払出基板へ出力する配線に、強制的に賞球払出命令を出力する基板（いわゆる、ぶらさげ基板）を接続したりする細工が施されることがあった。
そこで、従来のパチンコ機では、電気回路基板の表面を合成樹脂製のカバーで覆い、そのカバーを封印することにより、不正行為を防止している（特許文献１）。
また、電気回路基板の表面には、電力供給線や、大当たり発生などの遊技情報をホールコンピュータへ送信するための送信線などを接続するためのコネクタが設けられているため、そのコネクタに接続された配線を導出するための開口部をカバーに形成したパチンコ機が提案されている。図１３は、そのパチンコ機に設けられたカバーをコネクタ部分で縦に切断した場合の部分断面図である。電気回路基板９１の表面の一端（図面上では左端）に近い箇所には、コネクタ９３が取り付けられており、電気回路基板９１の表面は、間隔を置いてカバー９２により覆われている。カバー９２には、コネクタ９３の頭部を上方に露出させるための開口部９６が形成されている。カバー９２やコネクタ９３の成形時の寸法誤差や取付誤差などを考慮して、カバー９２を電気回路基板９１に被せる際に、カバー９２の開口部９６の近傍とコネクタ９３の頭部とが干渉しないようにする必要がある。また、カバー９２の一端が電気回路基板９１の他端に近い箇所（図面上では省略された右端の近傍）を回動軸にして回動可能に取り付けられた構造のものでは、カバー９２を回動させて電気回路基板９１の表面を覆う際に、開口部９６の近傍とコネクタ９３の頭部とが干渉しないようにする必要がある。そこで、開口部９６は少し大きめに形成されており、コネクタ９３の外面と開口部９６の内面との間には間隙９４が形成されている。
【０００３】
【特許文献１】特開２００２−２７３０１０号公報
【発明の開示】
【発明が解決しようとする課題】
【０００４】
しかし、上記従来のパチンコ機では、図１３に示すように、電極９５を間隙９４から挿入して配線９１ａに接触させ、電極９５を介して不正な信号を配線９１ａに流すことにより、マイコンを誤作動させ賞球を強制的に払出させるなどの不正行為が行われるおそれがある。
【０００５】
そこで、この発明は、カバーの開口部とコネクタの間隙を介して不正行為が行われるおそれのない遊技機を実現することを目的とする。
【課題を解決するための手段】
【０００６】
上記目的を達成するために、請求項１に記載の発明では、電気回路（１１０、１００ｂ）と、この電気回路（１１０、１００ｂ）と電気的に接続された端子（１０１）とが表面（１００ａ）に設けられた電気回路基板（１００）を備えており、前記表面（１００ａ）がカバー（８６）によって覆われており、前記カバー（８６）には前記端子（１０１）が露出する開口部（８６ｃ）が形成されており、その開口部（８６ｃ）を介して前記端子（１０１）に配線を接続可能にした遊技機（１）において、前記カバー（８６）を前記開口部（８６ｃ）の真上から見ると、前記開口部（８６ｃ）により規定される範囲からは、前記端子（１０１）のみを視認可能であり、前記電気回路基板（１００）の基板面は視認不可能である、という技術的手段を採用する。
なお、「前記カバーを前記開口部の真上から見ると、前記開口部により規定される範囲からは、前記端子のみを視認可能であり、前記電気回路基板の基板面は視認不可能である」という記載は、カバーが透光性を有する場合のように、カバーのどの位置からも電気回路基板が透けて見えるような場合を含めたときでも発明の構成が不明確にならないようにしたものである。上記の記載は、換言すると、開口部の内側のどの位置から垂線を下ろしても端子と交わることになり、電気回路基板とは交わらないという意味である。
【０００７】
請求項２に記載の発明では、請求項１に記載の遊技機（１）において、前記端子（１０１）は、前記開口部（８６ｃ）の周縁（８６ｈ）との間に間隙（９０）を形成した状態で前記開口部（８６ｃ）から露出する頭部（１０１ｄ）を有する端子本体（１０１ａ）と、前記カバー（８６）の裏面（８６ｉ）と前記電気回路基板（１００）の表面（１００ａ）との間において前記端子本体（１０１ａ）の周面から外方に突出した突出部（１０１ｂ）とを備えており、前記カバー（８６）を前記開口部（８６ｃ）の真上から見ると、前記間隙（９０）により規定される範囲からは、前記突出部（１０１ｂ）のみを視認可能であり、前記電気回路基板（１００）の基板面は視認不可能である、という技術的手段を採用する。
【０００８】
請求項３に記載の発明では、請求項２に記載の遊技機（１）において、前記端子（１０１）は、前記突出部（１０１ｂ）から前記カバー（８６）の裏面（８６ｉ）に向けて突出した部材（１０１ｃ）を備えた、という技術的手段を採用する。
【０００９】
請求項４に記載の発明では、請求項３に記載の遊技機（１）において、前記部材（１０１ｃ）の前記カバー（８６）側の端部（１０１ｆ）と前記カバー（８６）の裏面（８６ｉ）との間に弾性体（１０２）が介在された、という技術的手段を採用する。
【００１０】
請求項５に記載の発明では、請求項２ないし請求項４のいずれか１つに記載の遊技機（１）において、前記開口部（８６ｃ）の周縁（８６ｈ）から前記突出部（１０１ｂ）に向けて突出した部材（８６ｇ）を備えた、という技術的手段を採用する。
【００１１】
請求項６に記載の発明では、請求項５に記載の遊技機（１）において、前記部材（８６ｇ）の前記突出部（１０１ｂ）側の端部（８６ｊ）と前記突出部（１０１ｂ）との間に弾性体（８９）が介在された、という技術的手段を採用する。
【００１２】
請求項７に記載の発明では、請求項１に記載の遊技機（１）において、前記端子（１０１）は、前記電気回路基板（１００）の前記表面（１００ａ）に近づくに伴い、前記端子（１０１）の横断面の外周が大きくなるように形成されている、という技術的手段を採用する。
【００１３】
請求項８に記載の発明では、請求項２ないし請求項６のいずれか１つに記載の遊技機（１）において、前記端子（１０１）は、前記電気回路基板（１００）の前記表面（１００ａ）の一端側に設けられており、前記カバー（８６）は、前記電気回路基板（１００）の他端近傍を回動軸（８５ａ）にして回動可能に設けられており、前記間隙（９０）は、前記カバー（８６）を回動させて前記電気回路基板（１００）を覆う際に前記開口部（８６ｃ）の周縁（８６ｈ）に前記端子（１０１）が衝突しないようにするために、形成されている、という技術的手段を採用する。
なお、上記括弧内の符号は、後述の実施形態において使用する符号に対応するものである。
【発明の効果】
【００１４】
（請求項１に記載の発明の効果）
カバーを開口部の真上から見ると、開口部により規定される範囲からは、端子のみを視認可能であり、電気回路基板の基板面は視認不可能であるため、開口部より棒状の電極などを挿入しても、端子に衝突し、電気回路基板の表面に到達させることができないので、電気回路基板に影響を及ぼす不正行為を防止することができる。
【００１５】
（請求項２に記載の発明の効果）
カバーを開口部の真上より見ると、端子の頭部と開口部の周縁との間に形成された間隙により規定される範囲からは、端子本体の周面から外方に突出した突出部のみを視認可能であり、電気回路基板の基板面は視認不可能であるため、上記間隙より棒状の電極などを挿入しても、突出部に衝突し、電気回路基板の表面に到達させることができないので、電気回路基板に影響を及ぼす不正行為を防止することができる。
【００１６】
（請求項３に記載の発明の効果）
端子に、突出部からカバーの裏面に向けて突出した部材が設けられているので、開口部や間隙より挿入された電極などの侵入方向を変更したり、先の曲がった電極などを挿入しても、上記部材に衝突し、電気回路基板の表面に到達させることができないので、より確実に電気回路基板に影響を及ぼす不正行為を防止することができる。
【００１７】
（請求項４に記載の発明の効果）
突出部からカバーの裏面に向けて突出した部材のカバー側の端部とカバーの裏面との間に弾性体が介在され、上記間隙が閉塞されているため、可撓性の電極などを挿入された場合であっても電気回路基板の表面に到達させることができないので、電気回路基板に影響を及ぼす不正行為を確実に防止することができる。
【００１８】
（請求項５に記載の発明の効果）
開口部の周縁から突出部に向けて突出した部材が備えられているため、電極などを挿入する場合に、挿入方向が規制されるので、より確実に突出部に衝突させることができ、電気回路基板に影響を及ぼす不正行為を防止することができる。
【００１９】
（請求項６に記載の発明の効果）
開口部の周縁から突出部に向けて突出した部材の突出部側の端部と突出部との間に弾性体が介在され、この間隙が閉塞されているため、可撓性の電極などを挿入された場合であっても電気回路基板の表面に到達させることができないので、電気回路基板に影響を及ぼす不正行為を確実に防止することができる。
【００２０】
（請求項７に記載の発明の効果）
端子の横断面の外周が、電気回路基板の表面に近づくに伴い、大きくなるように形成されているので、開口部より棒状の電極などを挿入しても、端子に衝突し、電気回路基板の表面に到達させることができないので、電気回路基板に影響を及ぼす不正行為を防止することができる。
【００２１】
（請求項８に記載の発明の効果）
カバーを回動させて電気回路基板を覆うために、端子と開口部の周縁との間に間隙が形成されている場合であっても、その間隙より電極などを挿入しても、電気回路基板の表面に到達させることができないので、電気回路基板に影響を及ぼす不正行為を防止することができる。
【発明を実施するための最良の形態】
【００２２】
〈第１実施形態〉
この発明に係る遊技機としてパチンコ機を代表に説明する。
［パチンコ機１の主要構成］
まず、この実施形態のパチンコ機の主要構成について図１を参照して説明する。図１は、そのパチンコ機の外観の斜視説明図である。
パチンコ機１には、外殻を構成する外枠２が設けられており、その外枠２にはガラス枠３が開閉可能に取付けられている。ガラス枠３の内側には遊技盤５が設けられており、外枠２の前面右下方には、遊技盤５へ遊技球を発射する発射装置を操作する発射レバー１５ａが回動可能に取付けられている。ガラス枠３の左下方には、賞球や貸球が供給される賞球・貸球供給口６ａが形成されており、その賞球・貸球供給口６ａの供給側には、その賞球・貸球供給口６ａから供給された賞球や貸球を収容する上皿６が設けられている。上皿６の前面には、遊技球の貸出しを行う場合に押す貸出ボタン８１と、図示しないカード挿通口に挿入されているプリペイドカードを返却するために押す返却ボタン８２とが備えられているボタンユニット８０が取付けられている。ボタンユニット８０の下方には、プリペイドカードの残高などを表示する残高表示器９が取付けられている。上皿６の下方には、上皿６の収容可能数を超えて流下した賞球や上皿球抜きレバー６ｂの操作により上皿６から排出された遊技球などを排出する排出口７ａが形成されている。排出口７ａの排出側には、その排出口７ａから排出された遊技球を収容する下受け皿７が設けられている。
【００２３】
［遊技盤５の主要構成および主な遊技］
次に、遊技盤５の主要構成について図２を参照して説明する。図２は、遊技盤５の主要構成を示す正面説明図である。
遊技盤５の略中央には、立体的な構造物であるセンターケース３０が備えられている。センターケース３０には、複数の特別図柄（たとえば、０〜９の数字を表現した図柄）を表示する特別図柄表示装置３２が設けられている。特別図柄表示装置３２は、複数の特別図柄を所定の順序で画面上に表示する（以下、その表示を特別図柄の変動表示という）。変動表示の手法は複数あり、たとえば複数の特別図柄を縦方向に配列した図柄列を画面の横方向３個所の表示領域においてそれぞれ上から下に向けて移動させる手法がある。
センターケース３０の下方には、第１種始動口２７を内部に備えた普通電動役物２８が設けられている。遊技球が第１種始動口２７に入賞すると、特別図柄表示装置３２が特別図柄の変動表示を開始する。また、遊技球が第１種始動口２７に入賞すると、所定個数（たとえば、４個）の賞球が払出される。
【００２４】
特別図柄の変動表示開始から所定時間経過すると、各図柄列を所定の順序で停止させ、各表示領域に停止図柄を表示する。そして、各停止図柄が大当り図柄（たとえば、７７７などの同一数字からなるもの）の場合に大当りが発生する。大当りが発生すると、普通電動役物２８の下方に設けられた変動入賞装置４０が作動し、大入賞口開閉部材４３が開放し、大入賞口４１が開口する。そして、大入賞口４１に遊技球が入賞すると、所定個数（たとえば１５個）の賞球が払出される。大入賞口４１が開口してから所定時間（たとえば約３０秒）経過したか、あるいは大入賞口４１への入賞数が所定数（たとえば１０個）に達したかのいずれかの条件が満足されると大入賞口４１が閉口する。大入賞口４１の開口から閉口までを１ラウンドといい、ラウンド中に、大入賞口４１の内部に設けられた図示しない特定領域に遊技球が入賞したことを条件として次のラウンドに進むことができ、複数のラウンド（たとえば１６ラウンド）を実行することができる。以下、第１ラウンドから最終ラウンドまでの遊技を大当り遊技という。
また、遊技盤５には、右入賞口２２、左入賞口２３、右下入賞口１４および左下入賞口４４（以下、これらの入賞口を一般入賞口という）が設けられている。一般入賞口に入賞すると所定個数（たとえば、７個）の賞球が払出される。
【００２５】
［裏セットの主要構造］
次に、パチンコ機１の裏セットの主要構造についてそれを示す図３を参照して説明する。
パチンコ機本体９３の裏セット機構板９２の上部には、賞球や貸球となる遊技球を貯留するタンク６６が設けられている。タンク６６の下部には、タンクレール６７が取付けられている。タンクレール６７はやや右下がりに傾斜しており、その右端には、遊技球誘導レール６８が連結されている。つまり、タンク６６に貯留されている遊技球は、タンクレール６７を転がって遊技球誘導レール６８へ案内される。遊技球誘導レール６８の下方には、払出装置６２が設けられており、払出装置６２の下方には、貸球ユニット６３が設けられている。
貸球ユニット６３の左方には、後述する本発明の要部に係る基板ケース８４が設けられており、その内部には主制御基板１００が収容されている。主制御基板１００は、基板ケース８４から露出したコネクタ１０１を介して基板ケース８４の外部の配線に接続されている。
また、裏セット機構板９２の下部には、下受け皿７が賞球で満杯になった場合に排出口７ａ（図１）の奥上方まで達した賞球を収容する満杯樋６９が設けられており、その満杯樋６９には、満杯検出スイッチ７２が設けられている。満杯検出スイッチ７２は、満杯樋６９内に押板を傾動自在に設けており、満杯樋６９に収容された賞球によって押板が押されるとスイッチング動作し、満杯を検出する。
【００２６】
［パチンコ機１の電気的構成］
次に、パチンコ機１の主な電気的構成についてそれをブロックで示す図４を参照して説明する。
前述の主制御基板１００には、マイクロプロセッサ１１０が搭載されている。マイクロプロセッサ１１０は、メインＣＰＵ１１２と、ＲＯＭ１１４と、ＲＡＭ１１６とを備える。メインＣＰＵ１１２は、入賞の発生の検知、入賞数の演算、払出個数の監視、払出すべき賞球数と実際に払出された賞球数との誤差の演算、誤差の演算結果に基づくエラー報知、大当りかハズレかの判定（以下、大当り判定という）、特別図柄の変動表示内容の決定など、遊技の進行および遊技状態の変更に必要な主な制御および処理を行う。
ＲＯＭ１１４には、メインＣＰＵ１１２が各種制御などを実行するための各種制御プログラム、制御プログラム実行時に参照する各種テーブルなどが記録されている。ＲＡＭ１１６は、メインＣＰＵ１１２の処理結果などの遊技中に発生する各種データ、ＲＯＭ１１４から読出された制御プログラムなどを一時的に格納し、電源遮断時に停電直前の遊技状態を示すデータなどをバックアップして記憶するバックアップ領域を備える。
【００２７】
主制御基板１００には、次に記載するものが電気的に接続されている。遊技球が第１種始動口２７に入賞したことを検知する第１種始動口スイッチ（ＳＷ）２７ａ、特別図柄表示装置３２を制御する図柄制御基板３２ａ、遊技中に発生する効果音を制御する音声制御基板７９、ＬＥＤやランプ類などの発光部材の点灯・点滅を制御するランプ制御基板３００、電源基板７１、賞球および貸球の払出しなどを制御する払出制御基板２００、大当りの発生や賞球払出数などに関する遊技盤情報をパチンコホールの管理室などに設けられたホールコンピュータへ送信するための遊技枠情報端子基板５２、盤面中継基板５１、遊技枠中継基板５３である。
【００２８】
払出制御基板２００には、主制御基板１００から送信されてくる賞球コマンドなどを受信するマイクロプロセッサ２１０が搭載されており、マイクロプロセッサ２１０には、賞球および貸球の払出しなどの制御を実行するサブＣＰＵ２１２と、このサブＣＰＵ２１２が賞球および貸球の払出しなどの制御を実行するための各種制御プログラムが記録されたＲＯＭ２１４と、メインＣＰＵ１１２から送信された賞球コマンドにより示される賞球数やサブＣＰＵ２１２が各種制御プログラムを実行する際にＲＯＭ２１４から読出された制御プログラムなどを一時的に格納するＲＡＭ２１６とが搭載されている。メインＣＰＵ１１２からは、払出すべき賞球数を示す賞球コマンドがサブＣＰＵ２１２に送信され、賞球の払出が行われる。
また、払出制御基板２００には、電源基板７１、発射モータ１５ｅを駆動するための発射モータ駆動基板１５ｃ、遊技枠情報端子基板５２および払出中継基板５５が電気的に接続されている。発射モータ駆動基板１５ｃには、発射モータ駆動基板１５ｃから発射モータ１５ｅへ駆動信号を出力させるための発射スイッチ（ＳＷ）１５ｄが電気的に接続されている。
【００２９】
遊技枠中継基板５３には、下受け皿７が遊技球で満杯になったことを検知する下皿満杯検知スイッチ（ＳＷ）７２、賞球切れを検知する賞球切れ検出スイッチ（ＳＷ）７３およびセンサ中継基板５４が電気的に接続されている。センサ中継基板５４は、払出装置６２に備えられた前部払出センサ６２ａ、後部払出センサ６２ｂおよび払出中継基板５５と電気的に接続されている。払出中継基板５５には、貸球切れを検知する貸球切れ検出スイッチ（ＳＷ）６１および払出モータ６２ｃが電気的に接続されている。
盤面中継基板５１には、普通電動役物２８の両翼を開閉駆動する普通電動役物ソレノイド（ＳＬ）２８ａ、右ゲート２５（図２）を通過した遊技球を検知する右ゲートスイッチ（ＳＷ）２５ａ、左ゲート２６（図２）を通過した遊技球を検知する左ゲートスイッチ（ＳＷ）２６ａ、大入賞口４１に入賞した遊技球を検知する大入賞口スイッチ（ＳＷ）４１ａ、右入賞口２２に入賞した遊技球を検知する右入賞口スイッチ（ＳＷ）２２ａ、左入賞口２３に入賞した遊技球を検知する左入賞口スイッチ（ＳＷ）２３ａ、右下入賞口１４に入賞した遊技球を検知する右下入賞口スイッチ（ＳＷ）１４ａ、左下入賞口４４に入賞した遊技球を検知する左下入賞口スイッチ（ＳＷ）４４ａ、大入賞口中継基板５０が電気的に接続されている。
【００３０】
大入賞口中継基板５０には、特定領域を通過した遊技球を検知する特定領域スイッチ（ＳＷ）４２ａと、遊技球を特定領域へ案内する状態と案内しない状態とに変化する部材を動作させる特定領域ソレノイド（ＳＬ）４２ｂと、大入賞口開閉部材４３を開閉動作させる大入賞口ソレノイド（ＳＬ）４１ｂとが電気的に接続されている。電源基板７１は、ＣＲ接続基板５６と電気的に接続されており、ＣＲ接続基板５６には、残高表示器９に残り度数を表示するための回路が搭載された度数表示基板５７が電気的に接続されている。度数表示基板５７には、貸出ボタン８１と、返却ボタン８２と、貸出ボタンランプ８３とが電気的に接続されている。
電源基板７１は、ＡＣ２４Ｖ（５０Ｈｚ／６０Ｈｚ）の主電源７０から電源の供給を受け、各基板および装置へ動作電源を供給する。
【００３１】
［基板ケースの構造］
次に、電気回路基板１００を収容する基板ケース８４の構造について図５および図６を参照して説明する。図５（Ａ）は、基板ケース８４の分解斜視説明図であり、図５（Ｂ）は、主制御基板を収納した状態の基板ケース８４の斜視説明図である。図６は、基板ケース８４の一部縦断面説明図である。なお、以下の説明では、図５（Ａ）のＸ方向を前方、Ｙ方向を上方、Ｚ方向を左方とする。
【００３２】
基板ケース８４は、図５（Ｂ）に示すように、主制御基板１００を収容する本体８５と、その本体８５を覆うカバー８６とから構成される。
図５（Ａ）に示すように、主制御基板１００は、長方形状のプリント配線基板によって構成されており、表面１００ａにはマイクロプロセッサ１１０が搭載されている。
マイクロプロセッサ１１０は、配線１００ｂにより、主制御基板１００の前方の端部近傍の表面に並んで設けられている複数個のコネクタ１０１に接続され、このコネクタ１０１を介して、外部配線と接続される。この形態では、コネクタ１０１は横１列に６個並んでいる。
また、主制御基板１００をネジ止め固定するために、前方の角部には挿通孔１００ｄ、１００ｄが、後方の角部には挿通孔１００ｃ、１００ｃがそれぞれ形成されている。
【００３３】
本体８５は、合成樹脂材料などにより上面が開口した浅い箱状に形成されている。左右の外側面の後方には、カバー８６を回動可能に固定するための回動軸８５ａ、８５ａが外方に突出してそれぞれ設けられている。本体８５内側の後方の角部には、ネジ止め部８５ｂ、８５ｂが設けられており、主制御基板１００の挿通孔１００ｃに挿通したネジ８７、８７をネジ止め部８５ｂにねじ込むことにより、主制御基板１００が本体８５に固定される。また、前方の角部には、内周に雌ネジが形成されたネジ止め部８５ｃ、８５ｃが設けられている。
【００３４】
カバー８６は、下面が開口した箱状に形成された収容部８６ａと、この収容部８６ａ下面から前方に張り出して設けられており、上面にコネクタ１０１を露出させる開口部８６ｃが形成されたコネクタカバー部８６ｂとを備える。カバー８６の右の側面であって、右側の回動軸８５ａに対応した位置には、軸受け８６ｄが形成されている。また、カバー８６の左の側面であって、左側の回動軸８５ａに対応した位置には、軸受け８６ｄと同じ軸受け（図示せず）が形成されている。
カバー８６は、透光性を有する材料、例えば、アクリルなどの透明な合成樹脂材料により形成されている。コネクタカバー部８６ｂには、本体８５のネジ止め部８５ｃ、８５ｃに対応した位置に挿通孔８６ｅ、８６ｅが設けられている。開口部８６ｃは、コネクタカバー部８６ｂをコネクタ１０１にかぶせる際に、周縁８６ｈ（図７（Ｂ）、（Ｃ））がコネクタ１０１に衝突しないような大きさ、形状に形成されている。
基板ケース８４内に主制御基板１００を収容するには、図６に示すように、カバー８６のコネクタカバー部８６ｂ側を、軸受け８６ｄ側より上方に保持した状態で、本体８５の回動軸８５ａを軸受け８６ｄとカバー８６の後方に設けられた切り欠き部８６ｆとの間に挿通し、軸受け８６ｄを支点に、コネクタカバー部８６ｂを下方に回動させる。コネクタ１０１を開口部８６ｃを通過させ、本体８５を覆った後に、図５（Ａ）に示すように、ネジ８８、８８を挿通孔８６ｅ、８６ｅを通じて主制御基板１００の挿通孔１００ｄ、１００ｄに挿通させ、ネジ止め部８５ｃ、８５ｃに締め込んで、カバー８６及び主制御基板１００を本体８５に固定する。
【００３５】
（コネクタの構造）
コネクタ１０１の構造について、図７および図８を参照して説明する。図７（Ａ）は、コネクタ１０１の斜視説明図であり、図７（Ｂ）は、主制御基板１００がカバー８６で覆われているときのコネクタ１０１近傍の縦断面説明図であり、図７（Ｃ）は、開口部８６ｃの真上からコネクタ１０１を見たときのコネクタ１０１近傍の平面説明図である。
図７（Ａ）に示すように、コネクタ１０１は、外部からの配線と接続するために上部が開口したコネクタ本体１０１ａと突出部１０１ｂとから構成されており、コネクタ本体１０１ａの内部には、外部からの配線と接続するための端子ピン１０１ｃ（図７（Ｃ））が配置されている。突出部１０１ｂは、コネクタ本体１０１ａの下端部の外周を取り囲んで板状に形成されている。
図７（Ｂ）に示すように、コネクタ１０１は、主制御基板１００の表面１００ａに設けられ、突出部１０１ｂが電気回路を形成する配線１００ｂを覆った状態で、端子ピン１０１ｃと配線１００ｂとが電気的に接続されている。コネクタ本体１０１ａの頭部１０１ｄは、開口部８６ｃより外部に露出しており、コネクタ本体１０１ａの外面と開口部８６ｃの周縁８６ｈとの間に、間隙９０が形成されている。
図７（Ｃ）に示すように、コネクタ１０１を開口部８６ｃの真上から見ると、突出部１０１ｂは、突出部１０１ｂの外縁１０１ｅが開口部８６ｃの周縁８６ｈより外方になるように形成されているため、間隙９０により規定される範囲、即ち、間隙９０の直下には突出部１０１ｂのみを視認可能である。つまり、配線１００ｂは、突出部１０１ｂの下方に隠れているため、図７（Ｂ）に示すように、間隙９０から電極９８などを挿入し、不正行為を働こうとしても、配線１００ｂに触ることができない。
【００３６】
〈変更例〉
図８は、コネクタ１０１の変更例の縦断面説明図である。図８に示すように、突出部１０１ｂを、主制御基板１００の表面１００ａと接触しない状態で、コネクタカバー部８６ｂの裏面８６ｉと主制御基板１００の表面１００ａとの間で、コネクタ本体１０１ａの側面から突出するように設けてもよい。この構成を使用した場合でも、配線１００ｂは、突出部１０１ｂの下方に隠れているため、間隙９０から電極等を挿入し、不正行為を働こうとしても、配線１００ｂに触ることができない。
【００３７】
［第１実施形態の効果］
（１）カバー８６を開口部８６ｃの真上より見ると、コネクタ１０１と開口部８６ｃの周縁８６ｈとの間に形成された間隙９０により規定される範囲からは、コネクタ本体１０１ａの周面から外方に突出した突出部１０１ｂのみを視認可能であり、主制御基板１００の表面１００ａは視認不可能であるため、この間隙９０より棒状の電極などを挿入しても、突出部１０１ｂに衝突し、主制御基板１００の表面１００ａに到達させることができないので、主制御基板１００に影響を及ぼす不正行為を防止することができる。
【００３８】
（２）カバー８６を回動させて主制御基板１００を覆うために、コネクタ１０１と開口部８６ｃの周縁８６ｈとの間に間隙９０が形成されている場合であっても、その間隙９０より電極などを挿入しても、主制御基板１００の表面１００ａに到達させることができないので、主制御基板１００に影響を及ぼす不正行為を防止することができる。
【００３９】
〈第２実施形態〉
次に、この発明の第２実施形態について説明する。
なお、この実施形態のパチンコ機は、コネクタの構造以外は、第１実施形態と同じ構造であるため、同じ部分については同じ番号を使用するとともに、説明を省略する。
（コネクタの構造）
コネクタ１０１の構造について、図９および図１０を参照して説明する。図９（Ａ）は、コネクタ１０１の斜視説明図であり、図９（Ｂ）は、主制御基板１００がカバー８６で覆われているときのコネクタ１０１近傍の縦断面説明図である。図１０は、コネクタ１０１の変形例の縦断面説明図である。
図９（Ａ）に示すように、第２実施形態におけるコネクタ１０１は、突出部１０１ｂの外周の全周に渡って、コネクタカバー部８６ｂの裏面８６ｉ（図９（Ｂ））に向けて上方に突出した壁部１０１ｃを備えている。壁部１０１ｃの上端部には、全周に渡って弾性体のシール部材、この実施形態では、ゴム製のシール部材１０２が設けられている。    
図９（Ｂ）に示すように、壁部１０１ｃの上端は、コネクタカバー部８６ｂの裏面８６ｉと対向する位置に形成されており、シール部材１０２は、壁部１０１ｃの上端部１０１ｆとコネクタカバー部８６ｂの裏面８６ｉとの間隙よりも厚く設けられている。シール部材１０２は、この間隙に圧縮状態で挟み込まれ、この間隙を閉塞するとともに、配線１００ｂが主制御基板１００の表面１００ａに露出している空間と開口部８６ｃとを遮断している。
コネクタ１０１は、突出部１０１ｂと壁部１０１ｃとが配線１００ｂを覆った状態で配線１００ｂと接続されているため、コネクタ１０１を開口部８６ｃの真上から見ると、間隙９０の直下には突出部１０１ｂのみを視認可能である。つまり、間隙９０から電極等を挿入し、不正行為を働こうとしても、配線１００ｂに触ることができない。
【００４０】
さらに、図１０に示すように、開口部８６ｃの周縁８６ｈから突出部１０１ｂに向けて、下方に突出した壁状の遮蔽部８６ｇを設けてもよい。遮蔽部８６ｇは、頭部１０１ｄと壁部１０１ｃとの間に形成されており、その下端を突出部１０１ｂの上面と対向させている。遮蔽部８６ｇの下端部８６ｊと突出部１０１ｂの上面１０１ｇとの間隙にはゴム製のシール部材８９が圧縮状態で挟み込まれており、この間隙を閉塞している。
【００４１】
［第２実施形態の効果］
（１）カバー８６を開口部８６ｃの真上より見ると、コネクタ１０１の頭部１０１ｄと開口部８６ｃの周縁８６ｈとの間に形成された間隙９０により規定される範囲からは、コネクタ本体１０１ａの周面から外方に突出した突出部１０１ｂのみを視認可能であり、主制御基板１００の表面１００ａは視認不可能であるため、間隙９０より棒状の電極などを挿入しても、突出部１０１ｂに衝突し、主制御基板１００の表面１００ａに到達させることができないので、主制御基板１００に影響を及ぼす不正行為を防止することができる。
【００４２】
（２）コネクタ１０１に、突出部１０１ｂからコネクタカバー部８６ｂの裏面８６ｉに向けて突出した壁部１０１ｃが設けられているため、開口部８６ｃや間隙９０より挿入された電極などが侵入方向を変更したり、先の曲がった電極などを挿入しても、壁部１０１ｃに衝突し、主制御基板１００の表面１００ａに到達させることができないので、より確実に主制御基板１００に影響を及ぼす不正行為を防止することができる。
【００４３】
（３）壁部１０１ｃの上端部１０１ｆとコネクタカバー部８６ｂの裏面８６ｉとの間隙に、ゴム状のシール部材１０２が介在され、上記間隙が閉塞されているため、可撓性の電極などを挿入された場合であっても主制御基板１００の表面１００ａに到達させることができないので、主制御基板１００に影響を及ぼす不正行為を確実に防止することができる。
【００４４】
（４）カバー８６に遮蔽部８６ｇが設けられているので、間隙９０より電極などを挿入する場合に、挿入方向が規制されるので、より確実にコネクタ１０１の突出部１０１ｂに衝突させることができ、主制御基板１００に影響を及ぼす不正行為を防止することができる。
【００４５】
（５）遮蔽部８６ｇの下端部８６ｊと突出部１０１ｂの上面１０１ｇとの間隙に、ゴム状のシール部材８９が介在され、この間隙が閉塞されているため、可撓性の電極などを挿入された場合であっても主制御基板１００の表面１００ａに到達させることができないので、主制御基板１００に影響を及ぼす不正行為を確実に防止することができる。
【００４６】
（その他の実施形態）
（１）図１１は、その他の形状のコネクタの縦断面説明図である。コネクタ１０３は、縦断面の外形が台形状であり、主制御基板１００に近くなるほど、横断面の外周が大きくなるように形成されている。また、コネクタ１０３は、主制御基板１００に近くなるほど、横断面の外周が大きくなるように形成すれば、縦断面の外形は台形状以外の形状でもよい。この構成を使用した場合でも、前述した第１実施形態の効果を奏することができる。
この構成を備えたパチンコ機が請求項７に係る遊技機に対応する。
【００４７】
（２）図１２は、コネクタ１０１の変形例の斜視説明図である。第１実施形態では、突出部１０１ｂは、コネクタ本体１０１ａの一部であるが、図１２に示すように、コネクタ本体１０１ａと突出部１０１ｂとを別部材で形成してもよい。ここで、第２実施形態においても、コネクタ本体１０１ａと、壁部１０１ｃが設けられた突出部１０１ｂとを別部材で形成してもよい。これらの構成を使用した場合でも、前述した第１実施形態および第２実施形態の効果を奏することができる。
【００４８】
（３）コネクタ１０１は、払出制御基板２００、図柄制御基板３２ａ、音声制御基板７９など、パチンコ機１に設けられた各種基板に適用することができる。
【００４９】
［各請求項と実施形態との対応関係］
マイクロプロセッサ１１０および配線１００ｂが請求項１に記載の電気回路に、コネクタ１０１が端子に、主制御基板１００が電気回路基板にそれぞれ対応する。
シール部材１０２が請求項４に記載の弾性体に、シール部材８９が請求項６に記載の弾性体にそれぞれ対応する。
【図面の簡単な説明】
【００５０】
【図１】パチンコ機１の外観の斜視説明図である。
【図２】遊技盤５の主要構成を示す正面説明図である。
【図３】パチンコ機１の裏セットの主要構造を示す説明図である。
【図４】パチンコ機１の主な電気的構成をブロックで示す説明図である。
【図５】図５（Ａ）は、基板ケース８４の分解斜視説明図であり、図５（Ｂ）は、主制御基板１００を収納した状態の基板ケース８４の斜視説明図である。
【図６】基板ケース８４の一部縦断面説明図である。
【図７】図７（Ａ）は、コネクタ１０１の斜視説明図であり、図７（Ｂ）は、主制御基板１００がカバー８６で覆われているときのコネクタ１０１近傍の縦断面説明図であり、図７（Ｃ）は、開口部８６ｃの真上からコネクタ１０１を見たときのコネクタ１０１近傍の平面説明図である。
【図８】コネクタ１０１の変形例の縦断面説明図である。
【図９】図９（Ａ）は、コネクタ１０１の斜視説明図であり、図９（Ｂ）は、主制御基板１００がカバー８６で覆われているときのコネクタ１０１近傍の縦断面説明図である
【図１０】コネクタ１０１の変形例の縦断面説明図である。
【図１１】その他の形状のコネクタの縦断面説明図である。
【図１２】コネクタ１０１の変形例の斜視説明図である。
【図１３】従来構造のコネクタの縦断面説明図である。
【符号の説明】
【００５１】
１      遊技機
８４      基板ケース
８５      本体
８５ａ    回動軸
８６      カバー
８６ｃ    開口部
８６ｄ    遮蔽部
８９      シール部材（弾性体）
９０      間隙
１００    主制御基板（電気回路基板）
１００ｂ  配線（電気回路）
１０１    コネクタ（端子）
１０１ａ  コネクタ本体
１０１ｂ  突出部
１０１ｃ  壁部
１０２    シール部材（弾性体）
１１０    マイクロプロセッサ（電気回路）
【図１】
2006141587.tif 000003
【図２】
2006141587.tif 000004
【図３】
2006141587.tif 000005
【図４】
2006141587.tif 000006
【図５】
2006141587.tif 000007
【図６】
2006141587.tif 000008
【図７】
2006141587.tif 000009
【図８】
2006141587.tif 000010
【図９】
2006141587.tif 000011
【図１０】
2006141587.tif 000012
【図１１】
2006141587.tif 000013
【図１２】
2006141587.tif 000014
【図１３】
2006141587.tif 000015